(57)【要約】【課題】  ＨＤＤのベース側壁に沿って磁気ディスクに戻る気流の乱れを低減することにより、当該気流によるアクチュエータの揺れや磁気ディスクの揺れを低減し、以ってその読み書き性能の向上を図ること。【解決手段】  本発明に係るＨＤＤは、ベース１０２と、ベースに固定されたトップ・カバー１２１と、記録ディスク１０１を回転するモータ１０３と、記録ディスク１０１にアクセスするヘッド１０５を移動するアクチュエータ１０６と、その先端部が乗り上げるランプ・スロープ部１５０と、ランプ・スロープ部１５０を支持するランプ支持部１５１と、ランプ支持部１５１を保持するステージ１１７を備え、ランプ支持部１５１のトップ・カバー１２１側を通って記録ディスク１０１に向かう流路１１９が形成されており、流路１１９の記録ディスク１０１側端に、ベース１０２の底に向かう傾斜部１２０が形成されている。【選択図】  図１
2006185485.tif 000002
【特許請求の範囲】
【請求項１】
ベースと前記ベースに固定されるトップ・カバーとを有するエンクロージャと、
前記ベース内に配置され、記録ディスクを回転するモータと、
前記記録ディスクにアクセスするヘッドを保持し、回動することによってそのヘッドを移動するアクチュエータと、
前記記録ディスクの横に配置され、前記ヘッドを前記記録ディスクの外側に移動するため、前記アクチュエータの先端部が乗り上げるランプ・スロープ部と、
前記ランプ・スロープ部を支持するランプ支持部と、
前記エンクロージャに設けられ、前記ランプ支持部が固定されるステージと、を備え、
前記ランプ・スロープ部と前記エンクロージャとの間において、前記ランプ支持部のトップ・カバー側を通って前記記録ディスクに向かう気流が通る流路が形成されており、その流路の前記記録ディスク側端に、前記ベースの底に向かう傾斜面が形成されている、
ディスク・ドライブ装置。
【請求項２】
前記傾斜面は、前記ベース底からの高さが連続的に減少するスロープである、請求項１に記載のディスク・ドライブ装置。
【請求項３】
前記モータに複数の記録ディスクが固定され、
前記スロープの先端は、前記モータに固定された複数の記録ディスクのうち最も前記トップ・カバー側に固定された前記記録ディスクの前記ベース底側の面と、最も前記ベース底側に固定された前記記録ディスクの前記トップ・カバー側の面との間の高さに位置している、請求項２に記載のディスク・ドライブ装置。
【請求項４】
前記スロープの先端は、前記モータに固定された記録ディスクのトップ・カバー側の面と実質的に一致する高さに位置している、請求項３に記載のディスク・ドライブ装置。
【請求項５】
前記ステージと前記ベース底との間に、前記記録ディスクに気流が戻る流路が形成されている、請求項１に記載のディスク・ドライブ装置。
【請求項６】
前記ステージは前記ベース側壁と一体的に形成されている、請求項１に記載のディスク・ドライブ装置。
【請求項７】
前記スロープは前記ステージの記録ディスク側端に形成されている、請求項２に記載のディスク・ドライブ装置。
【請求項８】
ベースと前記ベースに固定されるトップ・カバーとを有するエンクロージャと、
前記ベース内に配置され記録ディスクを回転するモータと、
前記記録ディスクにアクセスするヘッドを保持し、回動することによってそのヘッドを移動するアクチュエータと、
前記記録ディスクの横に配置され、前記ヘッドを前記記録ディスクの外側に移動するため、前記アクチュエータの先端部が乗り上げるランプと、
前記エンクロージャに設けられ、前記ランプが固定されるステージと、を備え、
前記ステージの前記ベース底側に、前記記録ディスクに気流が戻る流路が形成されている、
ディスク・ドライブ装置。
【請求項９】
前記ランプは、前記アクチュエータの先端部が乗り上げるランプ・スロープ部と、前記ランプ・スロープ部を支持し前記ステージに固定されたランプ支持部と、を備え、
前記ランプ・スロープ部と前記ベースの側壁との間において、前記ランプ支持部及び前記ステージの前記トップ・カバー側を通って前記記録ディスクに向かう気流が通る流路が形成されており、その流路の前記記録ディスク側端に、前記ベース底からの高さが連続的に減少するスロープが形成されている、
請求項８に記載のディスク・ドライブ装置。
【請求項１０】
前記モータに複数の記録ディスクが固定され、
前記スロープの先端は、前記モータに固定された記録ディスクのうち最も前記トップ・カバー側に固定された前記記録ディスクの前記ベース底側の面と、最も前記ベース底側に固定された前記記録ディスクの前記トップ・カバー側の面との間の高さに位置している、請求項８に記載のディスク・ドライブ装置。
【請求項１１】
前記ステージは前記ベース側壁と一体的に形成されている、請求項８に記載のディスク・ドライブ装置。
【請求項１２】
前記スロープはステージの記録ディスク側端に形成されている、請求項８に記載のディスク・ドライブ装置。
【発明の詳細な説明】
【技術分野】
【０００１】
本発明はディスク・ドライブ装置、特にそのエンクロージャ内の気流制御に関する。
【背景技術】
【０００２】
光ディスクや磁気テープなどの様々な態様のメディアを使用するデータ記憶装置が知られている。その中で、ハードディスク・ドライブ（以下、ＨＤＤ）は、コンピュータの記憶装置として広く普及し、現在のコンピュータ・システムにおいて欠かすことができない記憶装置の一つとなっている。さらに、コンピュータにとどまらず、動画像記録再生装置、カーナビゲーション・システム、携帯電話、あるいはデジタル・カメラなどで使用されるリムーバブルメモリなど、ＨＤＤの用途は、その優れた特性により益々拡大している。
【０００３】
ＨＤＤで使用される磁気ディスクは同心円状に形成された複数のトラックを有しており、各トラックは複数のセクタに区分されている。各セクタにはサーボ・データと、ユーザ・データが記憶される。スピンドル・モータが磁気ディスクを回転し、薄膜素子であるヘッド素子部がセクタのサーボ・データに従って所望のアドレス位置にアクセスすることによって、磁気ディスクへのデータ書き込み、あるいはデータ読み出しを行うことができる。
【０００４】
ヘッド素子部はスライダに固定されており、これらがヘッドを構成する。スライダが回転している磁気ディスク上を浮上することによって、ヘッドもしくはヘッド素子部を磁気ディスク上の所望の位置にポジショニングすることができる。データ読み出し処理において、ヘッド素子部が磁気ディスクから読み出した信号は、信号処理回路によって波形整形や復号処理などの所定の信号処理が施され、ホストに送信される。ホストからの転送データは、信号処理回路によって所定処理された後に、磁気ディスクに書き込まれる。
【０００５】
ＨＤＤにおいては、磁気ディスクの回転によって発生する気流が問題とされる。例えば、この気流によってアクチュエータが揺れることにより、ヘッドの正確なポジショニングが妨げられる。このため、例えば、特許文献１は、ランプとベース側壁との間に気流の通り道であるバイパス・チャネルを設けた例を開示している。
【０００６】
この他、磁気ディスクの回転によって発生する気流の乱れによって引き起こされる磁気ディスクの揺れ（ディスク・フラッタ）が問題とされる。ディスク・フラッタは、ヘッド自体の揺れと同様に、トラックに対するヘッドの正確なポジショニングを妨げる。特に、磁気ディスクの記録密度が上がりＴＰＩ（Track Per Inch）が高くなるにつれて、より正確なヘッドのポジショニングが要求され、わずかなディスク・フラッタがより大きな問題となってくる。
【特許文献１】特開２００２−１３３８２７号公報
【発明の開示】
【発明が解決しようとする課題】
【０００７】
図８に従来のＨＤＤ１についてランプ２周辺を拡大した図を示す。ベース３の側壁に沿った気流は、ランプ２とベース３の側壁との間を図中の矢印の様に通過する。従来のＨＤＤ１におけるベース３は、磁気ディスク（図示せず）の形状にそって図８に示すような凸形状３１を有する。凸形状３１によって磁気ディスク周囲の気流は整流化されるが、ランプ２とベース３側壁との間を通って磁気ディスクへ向かう気流が妨げられ、気流の乱れが発生する。
【０００８】
特に、図中の矢印の位置、即ちランプ２とベース３の側壁との間は凸形状３１によって気流が遮られるため、ベース３側壁にそった気流はランプ２の内側を通る。ランプ２の内側はアクチュエータ（図示せず）が支持される面であるため、当該空間を気流が通ることによってアクチュエータの揺れが発生することとなる。また、複数の磁気ディスクが重ねられた構造のＨＤＤにおいては、磁気ディスク間に気流が流れることとなるが、磁気ディスク面上を浮動するアクチュエータが磁気ディスク間に流れ込む気流を妨げ、気流の乱れを発生させる。この様な気流の乱れは、上記したように磁気ディスク及びアクチュエータの揺れを発生させ、磁気ディスク面上のアクチュエータの正確なポジショニングを妨げる。
【０００９】
この様な問題に対しては、ランプ２とベース３の側壁との間を通る気流の流路を確保することが解決策として効果的である。特許文献１に開示された方法は図９に示されるようにベース３側壁とランプ２との間に空間４を設けたものである。ベース３側壁にランプ２を固定するのではなく、ベース３の底部にランプ２を固定するためのステージ５をベース３側壁とは離して設ける。この様な構成によって空間４が設けられることにより、ベース３側壁に沿った気流の流路を確保することができる。
【００１０】
しかしながら、ＨＤＤ１の形状及び大きさは規格として定められており、また、ＨＤＤ１は小型化の傾向にあるため、特にベース３の大きさ及び形状を変えることは難しい。また、ランプ２が形成される位置はアクチュエータの長さとも関連するため、容易に変更できるものではない。アクチュエータに対して例えば長さの変更を行なった場合、アクチュエータの回動による回動半径が変わり、ヘッド素子部のポジショニングに影響してしまう。このように、従来のＨＤＤには図９に示されるような空間４を設ける寸法的又は設計的な余裕がなく、この様な解決策を実現するのは難しい。
【００１１】
本発明は上記事情を背景としてなされたものであって、ディスク・ドライブ装置のランプ部近傍において、記録ディスクに戻る気流の乱れを低減することを目的とする。
【課題を解決するための手段】
【００１２】
本発明の第１の態様は、ベースと前記ベースに固定されるトップ・カバーとを有するエンクロージャと、前記ベース内に配置され、記録ディスクを回転するモータと、前記記録ディスクにアクセスするヘッドを保持し、回動することによってそのヘッドを移動するアクチュエータと、前記記録ディスクの横に配置され、前記ヘッドを前記記録ディスクの外側に移動するため、前記アクチュエータの先端部が乗り上げるランプ・スロープ部と、前記ランプ・スロープ部を支持するランプ支持部と、前記エンクロージャに設けられ、前記ランプ支持部が固定されるステージと、を備え、前記ランプ・スロープ部と前記エンクロージャとの間において、前記ランプ支持部のトップ・カバー側を通って前記記録ディスクに向かう気流が通る流路が形成されており、その流路の前記記録ディスク側端に、前記ベースの底に向かう傾斜面が形成されている。この様な構成により、ベース側壁を通り磁気ディスクに戻る気流の流路を確保し、気流がランプのランプ・スロープ部側を通ることを低減することができる。
【００１３】
ここで、前記傾斜部は、前記ベース底からの高さが連続的に減少するスロープであることが好ましい。これにより、空間の拡がりを連続的にすることができ、以って流路の急激な拡大を避けることができる。
【００１４】
また、前記モータに複数の記録ディスクが固定され、前記スロープの先端は、前記モータに固定された記録ディスクのうち最も前記トップ・カバー側に固定された前記記録ディスクの前記ベース底側の面と、最も前記ベース底側に固定された前記記録ディスクの前記トップ・カバー側の面との間の高さに位置していることが好ましい。これにより、磁気ディスクに戻る気流による磁気ディスクの揺れを低減することができる。
【００１５】
より好適には、前記スロープの先端は、前記モータに固定された記録ディスクのトップ・カバー側の面と実質的に一致する高さに位置している。これにより、磁気ディスクに戻る気流による磁気ディスクの揺れを、更に好適に低減することができる。
【００１６】
更に、前記ステージと前記ベース底との間に、前記記録ディスクに気流が戻る流路が形成されていることが好ましい。これにより、ランプ支持部近傍における気流の乱れを更に低減することができる。
【００１７】
好適には、前記ステージは前記ベース側壁と一体的に形成されており、前記スロープは前記ステージの記録ディスク側端に形成されている。これにより、ハードディスク・ドライブの設計、組み立てを容易にすることができる。
【００１８】
他方、本発明の第２の態様は、ベースと前記ベースに固定されるトップ・カバーとを有するエンクロージャと、前記ベース内に配置され記録ディスクを回転するモータと、前記記録ディスクにアクセスするヘッドを保持し、回動することによってそのヘッドを移動するアクチュエータと、前記記録ディスクの横に配置され、前記ヘッドを前記記録ディスクの外側に移動するため、前記アクチュエータの先端部が乗り上げるランプと、前記エンクロージャに設けられ、前記ランプが固定されるステージと、を備え、前記ステージの前記ベース底側に、前記記録ディスクに気流が戻る流路が形成されている。この様な構成により、ベース側壁を通り磁気ディスクに戻る気流の流路を確保し、気流がランプのランプ・スロープ部側を通ることを低減することができる。
【００１９】
ここで、前記ランプは、前記アクチュエータの先端部が乗り上げるランプ・スロープ部と、前記ランプ・スロープ部を支持し前記ステージに固定されたランプ支持部と、を備え、前記ランプ・スロープ部と前記ベースの側壁との間において、前記ランプ支持部及び前記ステージの前記トップ・カバー側を通って前記記録ディスクに向かう気流が通る流路が形成されており、その流路の前記記録ディスク側端に、前記ベース底からの高さが連続的に減少するスロープが形成されていることが好ましい。これにより、空間の拡がりを連続的にすることができ、以って流路の急激な拡大を避けることができる。
【００２０】
また、前記モータに複数の記録ディスクが固定され、前記スロープの先端は、前記モータに固定された記録ディスクのうち最も前記トップ・カバー側に固定された前記記録ディスクの前記ベース底側の面と、最も前記ベース底側に固定された前記記録ディスクの前記トップ・カバー側の面との間の高さに位置していることが好ましい。これにより、磁気ディスクに戻る気流による磁気ディスクの揺れを低減することができる。
【００２１】
更に、前記ステージは前記ベース側壁と一体的に形成され、前記スロープはステージの記録ディスク側端に形成されていることが好ましい。これにより、ハードディスク・ドライブの設計、組み立てを容易にすることができる。
【発明の効果】
【００２２】
本発明により、ディスク・ドライブ装置のランプ部近傍において、記録ディスクに戻る気流の乱れを低減することができる。
【発明を実施するための最良の形態】
【００２３】
以下に、本発明を適用可能な実施の形態を説明する。説明の明確化のため、以下の記載及び図面は、適宜、省略及び簡略化がなされている。又、各図面において、同一要素には同一の符号が付されており、説明の明確化のため必要に応じて重複説明は省略されている。
【００２４】
本発明を適用した具体的な実施の形態について、図面を参照しながら詳細に説明する。本形態はディスク・ドライブ装置におけるランプ部周辺、特にランプを固定するステージの構造に関する。本発明の理解の容易のため、最初に、ディスク・ドライブ装置の一例であるハードディスク・ドライブ（ＨＤＤ）の全体構成を説明する。図１は、本実施の形態に係るＨＤＤ１００の構成を模式的に示す平面図である。図１において、１０１はデータを記憶する記録媒体（メディア）であって、磁性層が磁化されることによってデータを記憶する不揮発性の記録ディスクである磁気ディスクである。１０２はＨＤＤ１００の各構成要素を収容するベースである。ベース１０２は、ベース１０２の上部開口を塞ぐトップ・カバー１２１とガスケット（不図示）を介して固定されることによってディスク・エンクロージャを構成し、ＨＤＤ１００の各構成要素を密閉状態で収容することができる。
【００２５】
磁気ディスク１０１はスピンドル・モータ１０３に固定されている。スピンドル・モータ１０３は、所定速度で磁気ディスク１０１を回転する。ヘッド１０５は、スライダと、スライダ表面に固定された変換素子としてのヘッド素子部を備える。ヘッド素子部は、ホスト（不図示）との間で入出力されるデータについて、磁気ディスク１０１への書き込み及び／又は読み出しを行う。ヘッド素子部は、磁気ディスク１０１への記憶データに応じて電気信号を磁界に変換する記録素子及び／又は磁気ディスク１０１からの磁界を電気信号に変換する再生素子を有している。
【００２６】
アクチュエータ１０６は、回動軸１０７に回動自在に保持されており、ＶＣＭ（ボイス・コイル・モータ）１０９によって駆動される。アクチュエータ１０６はヘッド１０５を保持し、回動することによって、磁気ディスク１０１上の所望の位置にヘッドをポジショニングする。アクチュエータ１０６とヘッド１０５とによって、ヘッド・アクチュエータ・アセンブリを構成する。アクチュエータ１０６は、ヘッド１０５が配置されたその先端部から、サスペンション部１１０、アーム部１１１、回動軸１０７が嵌合する嵌合部１０８、コイル・サポート部１１２、フラットコイル１１３の順で結合された各構成部材を備えている。
【００２７】
１１４はベース１０２に固定された上側ステータ・マグネット保持板である。尚、上側ステータ・マグネット保持板１１４は、主要部が便宜上切り欠いて図示され、外形が破線で示されている。図示されていないが、フラットコイル１１３の下側には、上側ステータ・マグネット保持板１１４との間においてフラットコイル１１３を挟むように、下側ステータ・マグネット保持板が配置される。ＶＣＭ１０９は、フラットコイル１１３、上側ステータ・マグネット保持板１１４に固定されたステータ・マグネット（不図示）、及び下側ステータ・マグネット保持板に固定されたステータ・マグネット（不図示）を備えている。
【００２８】
１１５は、磁気ディスク１０１の回転が停止するとき、ヘッド１０５を磁気ディスク１０１から退避させるためのランプである。図に示されるようにランプ１１５は磁気ディスク１０１の横に設けられる。１１６はサスペンション部１１０の先端部に形成されたタブである。本形態のランプ１１５はタブ１１６を支持するランプ・スロープ部１５０とランプ１１５をベース１０２に固定するランプ支持部１５１を有する。ランプ・スロープ部１５０はランプ支持部１５１のアクチュエータ１０６側表面に突出した形で形成される。また、当該部位におけるベース１０２側壁からは、ランプ支持部１５１を固定するためのステージ１１７が突出している。当該ランプ１１５及びその周辺部分の構成については後に詳述する。
【００２９】
ＨＤＤ１００は１枚もしくは積層配置された複数の磁気ディスク１０１を備えることができる。複数枚の磁気ディスク１０１を備える場合、スピンドル・モータ１０３は、その回転軸方向に所定の間隔で、複数の磁気ディスク１０１を一体的に保持する。本形態においては、３枚の磁気ディスクが所定間隔で積層配置されている。また、典型的には、磁気ディスク１０１の両面にデータが記憶されるが、磁気ディスク１０１一方のみにデータを記録することも可能である。
【００３０】
磁気ディスク１０１からのデータの読み取り、又は書き込みのため、アクチュエータ１０６は回転している磁気ディスク１０１表面のデータ領域上空にヘッド１０５を移動する。アクチュエータ１０６が回動することによって、ヘッド１０５が磁気ディスク１０１の表面の半径方向に沿って移動する。これによって、ヘッド１０５（ヘッド素子部）が所望のトラックにアクセスすることができる。磁気ディスク１０１に対向するスライダのＡＢＳ（Air Bearing Surface）面と回転している磁気ディスク１０１との間の空気の粘性による圧力が、サスペンション部１１０によって磁気ディスク１０１方向に加えられる圧力とバランスすることによって、ヘッド１０５は磁気ディスク１０１上を一定のギャップを置いて浮上する。
【００３１】
磁気ディスク１０１の回転が停止するときには、アクチュエータ１０６はヘッド１０５をデータ領域からランプ１１５のランプ・スロープ部１５０に退避させる。アクチュエータ１０６がランプ１１５の方向に回動し、アクチュエータ１０６先端のタブ１１６がランプ１１５のランプ・スロープ部１５０上を摺動しながら移動し、ランプ１１５上のパーキング面に載ることにより、ヘッド１０５がアンロードされる。ロードのときには、パーキング面に支持されていたアクチュエータ１０６は、ランプ１１５から離脱して磁気ディスク１０１表面上空に移動する。
【００３２】
この様なＨＤＤ１００において、磁気ディスク１０１が反時計回りに回転することにより、ベース１０２の側壁に沿って反時計回りの気流が発生する。磁気ディスク１０１の周囲で発生した気流は、ベース１０２の側壁に沿って反時計回りに回転し、ランプ１１５近傍を図中右から左へ通過して磁気ディスク１０１へ戻る。この際に、気流がランプ１１５のアクチュエータ１０６側、即ちランプ１１５においてランプ・スロープ部１５０が形成された面側を通ると、アクチュエータ１０６や磁気ディスク１０１の揺れを発生させる原因となる。従って、ランプ１１５とベース１０２の側壁との間に気流の通り道、即ち流路を確保する必要がある。
【００３３】
図２は、ランプ支持部１５１の一部と、ランプ支持部１５１に結合されたランプ・スロープ部１５０を示した拡大図である。図２には、アクチュエータ１０６がランプ１１５上の退避位置であるランプ・スロープ部１５０にアンロードされている状態を示している。尚、図２（ａ）においては２つのサスペンション部１１０及びアーム部１１１のタブ１１６が示され、図２（ｂ）においては１つのサスペンション部１１０及びアーム部１１１が示されている。ランプ・スロープ部１５０は、回転する磁気ディスク１０１の外周部が通過するスリット５０１とタブ１１６を支持するパーキング部５０４及びパーキング部に連続する斜面とを有する。パーキング部５０４に連続する斜面は、斜面５０２、斜面５０３、斜面５０５及び斜面５０６を有する。
【００３４】
アクチュエータ１０６がデータ領域からアンロードされる際、上述したようにアクチュエータ１０６がランプ１１５方向へ回動し、タブ１１６がランプ・スロープ部１５０に接触する。タブ１１６はランプ・スロープ部１５０において斜面５０２に接触し、斜面５０２に沿って当該斜面を上昇する。斜面５０２を上りきると斜面５０３に沿って下降する。斜面５０３を下りきるとパーキング面５０４に着地する。従って、アクチュエータ１０６が退避位置にアンロードされているとき、タブ１１６はパーキング面５０４に接触している。斜面５０３の働きにより、ＶＣＭ１０９の駆動力が働かない限りアクチュエータ１０６が誤って磁気ディスク１０１上のデータ領域にロードされることはない。尚、斜面５０５、斜面５０６は、実装時にタブ１１６をランプ・スロープ部１５０の後部（スリット５０１の反対側）から挿入するために形成されている。
【００３５】
図３（ａ）は本形態におけるランプ１１５及びその周辺部を模式的に示す斜視図である。但し、磁気ディスク１０１は省略され、描かれていない。また、図３は３枚の磁気ディスク１０１に対応したランプを有しており、図２に示すランプ・スロープ部が３つ縦に連なっている。尚、図２では１組のスリット５０１、パーキング面５０４及び各斜面のユニットをランプ・スロープ部１５０として説明したが、本形態においては３組の上記のユニットを指してランプ・スロープ部１５０とする。
【００３６】
また、ランプ・スロープ部１５０とランプ支持部１５１とは同一部材として一体に形成されても良いし、別部材で構成され、後から組み合わされても良い。ランプ・スロープ部１５０は上述したように、磁気ディスク１０１の回転が停止し、アクチュエータ１０６がアンロードされる際にアクチュエータ１０６先端を保持する機能を有する。図２に示した斜面５０２やパーキング面５０４等の構成は、ランプ・スロープ部１５０におけるベース１０２側壁とは反対側の面、即ちＨＤＤ１の磁気ディスク１０１側の面に設けられる。
【００３７】
図３（ｂ）に図３（ａ）に示した部位と同一部位においてランプ１１５が取り外された状態の斜視図を示す。ランプ１１５周辺部分において、ベース１０２の側壁から突出する形でランプ支持部１５１を保持するステージ１１７が設けられている。即ち、ステージ１１７はベース１０２の側壁において、ベース底とトップ・カバー１２１との中間に設けられる。従って、ステージ１１７とベース底との間には空間１１８が形成され、ステージ１１７とトップ・カバー１２１との間には空間１１９が形成される。ここで、ステージ１１７はベース１０２と一体に形成されても良いし、別々に形成され、後から組み合わされても良い。空間１１８及び空間１１９が形成されることによって、ランプ１１５とベース１０２の側壁との間を、ベース１０２側壁に沿ってアクチュエータ１０６が設けられた領域から磁気ディスク１０１が設けられた領域へ流れる気流の流路を確保することができる。
【００３８】
また、従来のＨＤＤにおいては、図８に示されるように空間１１９と磁気ディスク１０１との間は、磁気ディスク１０１の外周形状に沿ってベース１０２側壁からＨＤＤ１の内側へ突出する凸形状３１によって遮られていた。しかしながら、本形態においては凸形状３１の一部又は全部がネジ止め又は強度確保等、その機能を維持可能な範囲内で取り除かれている。言い換えれば、ランプ１１５近傍における磁気ディスク１０１の周囲を囲むベース１０２の形状は、ステージ上面１７０及び下面においては、ランプ・スロープ部１５０とベース１０２との間に隙間が空くように形成されている。このような構成により、空間１１９及び空間１１８から磁気ディスク１０１に向う流路を確保している。
【００３９】
図３（ｂ）に示すようにステージ上面１７０、即ちトップ・カバー１２１側の面にはランプ支持部１５１を収容するためのスペース１７１が形成されている。スペース１７１はステージ上面１７０において１段下がって設けられている。スペース１７１の高さとランプ支持部１５１のスペース１７１に固定される部分の高さとは略一致する。従って、スペース１７１にランプ支持部１５１が固定されると、ステージ上面１７０とランプ支持部１５１の上面とは略一致する。この様な構成により、ランプ支持部１５１によって空間１１９が狭められることがなく、ベース１０２の側壁とランプ・スロープ部１５０との間における流路を確保することができる。
【００４０】
更に、ステージ上面１７０、即ちトップ・カバー１２１側の面における磁気ディスク１０１側の端部には、傾斜部１２０が形成されている。傾斜部１２０は、その斜面がステージ１１７上面からステージ１１７下面方向へ、磁気ディスク１０１に近づくにつれて連続的に下降するように形成されている。即ち、傾斜部１２０においてはステージ１１７上面とステージ１１７下面の幅、つまりステージ１１７の厚さが、磁気ディスク１０１側に近付くにつれて連続的に減少する。従って、当該傾斜部１２０においてはステージ１１７のベース底からの高さが、磁気ディスク１０１に近づくにつれて連続的に減少する。言い換えれば、ステージ１１７とトップ・カバー１２１との間の空間１１９は、当該傾斜部１２０においては磁気ディスク１０１に近づくに従って連続的に拡大する。つまり、空間１１９の傾斜部１２０の形成された部位における流路が、磁気ディスク１０１に近づくほど拡大することとなる。
【００４１】
この様な構成においては、空間１１９を通り磁気ディスク１０１へ向かう気流を妨げるものはなく、流路を十分に確保することができる。また、傾斜部１２０においては流路が連続的に拡大することとなるため、流路の急な拡大による気流の乱れを抑制することができる。従って、磁気ディスク１０１に向う気流の乱れを低減することが可能となる。
【００４２】
図４にランプ１１５周辺を上面からみた平面図を示す。ここで、図４においては磁気ディスク１０１も描かれている。本形態にかかるステージ１１７の構成を用いれば、ベース１０２の側壁に沿って流れ、ランプ・スロープ部１５０とベース１０２側壁との間を通って磁気ディスク１０１に戻る気流は、空間１１９及び傾斜部１２０を通り、図４に示す矢印のように流れる。また、空間１１８、即ち図４におけるステージ１１７の裏側についても図４に示す矢印と同様に気流が流れる。図４の矢印が示すように、ベース１０２とランプ・スロープ部１５０との間、即ち空間１１９及び空間１１８を通る気流は妨げられることなく流れ、磁気ディスク１０１に向う。従って、空間１１９及び空間１１８を通る気流は乱れることなく磁気ディスク１０１に向う。結果として、磁気ディスク１０１及び磁気ディスク１０１上のアクチュエータ１０６が当該気流により振動することを低減することが可能となる。
【００４３】
図５に図４の切断線Ａ−Ａにおける断面図を示す。図５は、空間１１９及び空間１１８と磁気ディスク１０１との境界付近であり、図中右方から左方へ気流が流れる。図５に示すように、傾斜部１２０の先端部は、複数ある磁気ディスク１０１のうち最も上面側（トップ・カバー１２１側）にあるものよりも低い位置（ベース底側）であって、複数ある磁気ディスク１０１のうち最も下面側（ベース底側）にあるものよりも高い位置（トップ・カバー１２１側）に位置する。
【００４４】
更に、本形態においては、傾斜部１２０の先端は図に示すように、複数ある磁気ディスクのうち、最も上面側（トップ・カバー１２１側）でも、最も下面側（ベース低側）でもないもの（本形態においては３枚の磁気ディスク１０１のうち中央に位置するもの。以下、中央の磁気ディスク）に位置合わせされている。詳細には、傾斜部１２０の傾斜面の先端（トップ・カバー１２１側）が中央の磁気ディスク１０１の上面（トップ・カバー１２１側）に合わせられており、傾斜部１２０の先端下面（ベース底側）が中央の磁気ディスク１０１の下面（ベース底側）に合わせられている。
【００４５】
上記の態様を実現するためには、傾斜部１２０の先端部分の厚さは磁気ディスク１０１の厚さと略一致していることが好ましいがこれに限定されるものではない。傾斜部１２０の上面と磁気ディスク１０１の上面とが一致していれば、空間１１９を通って磁気ディスク１０１へ向かう気流は、傾斜部１２０の斜面に沿って磁気ディスク１０１の上面へスムーズに流れる。また、傾斜部１２０の下面と磁気ディスク１０１の下面とが一致していれば、空間１１８を通って磁気ディスク１０１へ向かう気流は、傾斜部１２０の下面に沿って磁気ディスク１０１の下面へスムーズに流れる。
【００４６】
上記のどちらにおいてもその効果を得ることが出来るが、傾斜部１２０の上面と磁気ディスク１０１の上面とが一致していれば、傾斜部１２０の形状をより活用することができ好適である。更に好適には、上述したように傾斜部１２０の先端部分の厚さは磁気ディスク１０１の厚さと略一致しており、傾斜部の斜面及び下面と磁気ディスク１０１の上面及び下面とが一致していることである。この様な構成により、磁気ディスク１０１に向う気流による磁気ディスク１０１の揺れ（ディスク・フラッタ）の発生を低減することができる。
【００４７】
以上のように、本形態のＨＤＤによれば、ランプ部近傍、特にベース側壁に沿って磁気ディスクに戻る気流の乱れを低減することにより、当該気流によるアクチュエータの揺れや磁気ディスクの揺れ（ディスク・フラッタ）を低減し、以ってその読み書き性能の向上を図ることができる。
【００４８】
尚、本形態においては、ステージ１１７はベース１０２の側壁中間から突出する形で形成されている。従って、その上面には空間１１９が、下面には空間１１８がそれぞれ形成され、ベース１０２の側壁から磁気ディスク１０１へ向かう流路が確保されている。当該流路が確保されることによって、気流がランプ１１５のアクチュエータ１０６側を通ることを抑制し、以ってアクチュエータ１０６及び磁気ディスク１０１の揺れの低減を実現している。ここで、空間１１８及び空間１１９はどちらか一方を設けるだけでも、その効果を得ることができるが、本形態のように空間１１８及び空間１１９を両方設けることにより、より好適にその効果を得ることができる。
【００４９】
図６に本発明の他の態様である、空間１１９のみを設けた場合のＨＤＤのランプ１１５及びその周辺の拡大斜視図を示す。図６に示されるように、空間１１８を設けず、ステージ１１７がベース１０２側壁及びベース底から突出するように形成されても良い。ここで、ステージ１１７はベース１０２と一体に形成されても、ベース１０２と別々に形成され、後から組み合わせられても良い。
【００５０】
この様に空間１１８を設けないことによって、ステージ１１７とベース底とが連続する。従って、上述したように傾斜部１２０先端を複数の磁気ディスク１０１の中央のものと位置合わせするのではなく、傾斜部１２０がベース底に連続するように形成することも可能である。但し、傾斜部１２０の角度が急になり過ぎると、流路が急激に拡大することとなり、実質上傾斜部１２０が傾斜部としての役割を果たさなくなる。結果的に気流の乱れが発生する。その様な場合は、傾斜部１２０の上面（トップ・カバー１２１側）と中央の磁気ディスク又は最も下側（ベース底側）の磁気ディスク１０１の上面とを位置合わせすることで好適に傾斜部１２０の効果を得ることができる。
【００５１】
また、空間１１８を設けない分、ステージ１１７の形成位置を下げることができる。こうすることにより、空間１１９を拡げることが可能となり、ベース１０２側壁に沿って流れる気流の流路を拡大することができる。更に、ステージ上面１７０の高さが下がり、よりステージ上面１７０がベース底に近づくため、ステージ上面１７０とベース底との幅が狭まり、傾斜部１２０をベース底に連続させることが容易となる。
【００５２】
更に、傾斜部１２０の傾斜面は図５の断面図に示した直線状に限定されない。図７に傾斜部１２０の斜面の他の態様を表す断面図を示す。傾斜部１２０の斜面形状は、図７（ａ）に示すように段階的になっていても良いし、図７（ｂ）、（ｃ）に示すようにアールを有する形状でも良い。図７（ａ）に示した段階的な斜面においては、一段の高さが細かく、一段の幅が広い方が、急激な流路の拡大を避けることができる。図７（ｂ）に示す斜面は凸型のアールを有し、図７（ｃ）に示す斜面は凹型のアールを有する。図７（ｂ）、（ｃ）に示したように斜面がアールを有する場合は、その曲率を適宜調整することによって、流路の急激な拡大を避けることが可能である。また、凹型の凸型のアールの混在した斜面であっても良い。更には、傾斜部１２０においてステージ１１７の幅が連続的に減少するのであれば、斜面表面の形状は平面には限定されない。
【００５３】
本形態においては、ステージ１１７はベース１０２に設けられるが、これに限定されるものではない。トップ・カバー１２１のＨＤＤ１の内部側の面にステージ１１７を設け、当該ステージ１１７にランプ支持部１５１を固定することもできる。この様な場合、ランプ１１５はＨＤＤ１内部において、下方（ベース底側）ではなく上方（トップ・カバー１２１側）に固定されることとなる。従って、図６に示す態様とは逆に空間１１９がなくなり、空間１１８のみ設けることが可能となる。この様な場合においてもステージ１１７の磁気ディスク１０１側端部に傾斜部１２０を設けることによって、本発明の効果を得ることが可能である。
【００５４】
尚、本形態においては、ディスク・ドライブ装置として磁気ディスクを用いたハードディスク・ドライブを例に説明したが、これに限定されるものではない。例えば内部に光学式記録媒体を有する光学式ディスク・ドライブや、光学式記録媒体を内部に収容して当該記録媒体に記録された情報を読み出すディスク・ドライブに適用することも可能であり、ディスク型の記録媒体に対応したディスク・ドライブ装置であれば、その記録方法は特に限定されない。
【００５５】
更に、本形態においては、アクチュエータ１０６に備えられたヘッド１０５は読み出し及び書き込みを行なう素子としてせつめいしたが、これに限定されるものではない。ヘッド１０５が読み出し、又は書き込みのどちらか一方だけを行なう場合にも、本発明を適用することが可能である。また、読み出しを行なうヘッドを備えるアクチュエータと、書き込みを行なうヘッドを備えるアクチュエータとをそれぞれ別々に有しても良い。
【図面の簡単な説明】
【００５６】
【図１】本発明の実施の形態におけるハードディスク・ドライブの全体を示す平面図である。
【図２】本発明の実施の形態におけるランプ・スロープ部及び当該ランプ・スロープ部に保持されるアクチュエータを示す模式図である。
【図３】本発明の実施の形態におけるランプ及びランプが固定される部位周辺を示す拡大斜視図である。
【図４】本発明の実施の形態におけるランプ及びランプが固定される部位周辺を示す拡大平面図である。
【図５】本発明の実施の形態における傾斜部と磁気ディスクとの境界部分を示す拡大断面図である。
【図６】本発明の実施の形態におけるランプ及びランプが固定される部位周辺を示す拡大斜視図である。
【図７】本発明の実施の形態における傾斜部の斜面の態様を示す模式図である。
【図８】従来技術にかかるランプ及びランプが固定される部位周辺を示す拡大斜視図である。
【図９】参考技術にかかるランプ及びランプが固定される部位周辺を示す拡大斜視図である。
【符号の説明】
【００５７】
１  ハードディスク・ドライブ、２  ランプ、３  ベース、４  空間、５  ステージ、
３１  凸形状、１００  ハードディスク・ドライブ、１０１  磁気ディスク、
１０２  ベース、１０３  スピンドル・モータ、１０５  ヘッド、
１０６  アクチュエータ、１０７  回動軸、１０８  嵌合部、
１１０  サスペンション部、１１１  アーム部、１１２  コイル・サポート部、
１１３  フラットコイル、１１４  上側ステータ・マグネット保持板、１１５  ランプ、
１１６  タブ、１１７  ステージ、１１８  空間、１１９  空間、１２０  傾斜部、
１２１  トップ・カバー、１５０  ランプ・スロープ部、１５１  ランプ支持部、
１７０  ステージ上面、１７１  スペース、５０１  スリット、
５０２、５０３、５０５、５０６  斜面、５０４  パーキング面
【図１】
2006185485.tif 000003
【図２】
2006185485.tif 000004
【図３】
2006185485.tif 000005
【図４】
2006185485.tif 000006
【図５】
2006185485.tif 000007
【図６】
2006185485.tif 000008
【図７】
2006185485.tif 000009
【図８】
2006185485.tif 000010
【図９】
2006185485.tif 000011